(57)【要約】【課題】防水パンの開口部を通る配管にガタつきを生じせない。【解決手段】配管３の通る防水パン２の開口部２ａをゴム製の防水蓋部材４で覆い、防水蓋部材４の立ち上げた配管貫通部４ａと配管３の間を閉塞するシール材５を設け、防水蓋部材４のシール材５を設けた外周側部分４ｂを外嵌する配管支持具６を備え、配管支持具６を防水パン２に固定したこと。【選択図】図１
2009097192.tif 000002
【特許請求の範囲】
【請求項１】
配管の通る防水パンの開口部をゴム製の防水蓋部材で覆い、防水蓋部材の立ち上げた配管貫通部と配管の間を閉塞するシール材を設けた防水パンの配管構造において、防水蓋部材のシール材を設けた外周側部分を外嵌する配管支持具を備え、配管支持具を防水パンに固定したことを特徴とする防水パンにおける配管の固定構造。
【請求項２】
前記防水パンの開口部の周縁に前記防水蓋部材の環状フランジを、前記防水パンに連結したフランジ止付け具で圧着し、フランジ止付け具に前記配管支持具を連結して、防水パンにフランジ止付け具を介して配管支持具を固定した請求項１記載の防水パンにおける配管の固定構造。
【請求項３】
前記フランジ止付け具に一方の係合部を設け、前記配管支持具を構成する二つ割り分割片に他方の係合部及び配管外嵌部を設け、二つ割り分割片を合わせて接合すことで、配管を配管外嵌部で外嵌すると共に一方の係合部に他方の係合部を分離不能に係合した請求項２記載の防水パンにおける配管の固定構造。
【請求項４】
前記配管支持具は、前記フランジ止付け具の外周部に緊締外嵌する固定側バンド部と、前記防水蓋部材のシール材を設けた外周側部分を外嵌する配管側外嵌部と、固定側バンド部及び配管側外嵌部を接合する接合部とからなる請求項２記載の防水パンにおける配管の固定構造。
【発明の詳細な説明】
【技術分野】
【０００１】
本発明は、防水パンの開口部を通る配管の固定構造に関するものである。
【背景技術】
【０００２】
従来、防水パンの開口部を通る配管のシール構造には、配管の通る防水パンの開口部をゴム製の防水蓋部材で覆い、防水蓋部材の立ち上げた配管貫通部と配管の間を閉塞するシール材を設け、防水蓋部材のシール材を設けた外周面をホースバンドで締めたものがある（特許文献）。                                                                            
【特許文献１】特開平８−２０９７６１号公報
【発明の開示】
【発明が解決しようとする課題】
【０００３】
ところが、前記配管のシール構造は、防水パンと配管の間をゴム製の防水蓋部材で連結しただけであるため、ウオーターハンマーや、施工中に配管や防水蓋部材を誤って強く押圧する等して配管に外力が加わったとき、配管にガタつきを生じさせる不具合を招くことがある。殊に、配管のガタつきは、合成樹脂管の方が金属管に比べ顕著である。
【０００４】
本発明は、防水パンの開口部を通る配管にガタつきを生じせない防水パンにおける配管の固定構造の提供を目的とする。
【課題を解決するための手段】
【０００５】
防水パンの開口部を通る配管にガタつきを生じせないために請求項１記載の本発明が採用した手段は、配管の通る防水パンの開口部をゴム製の防水蓋部材で覆い、防水蓋部材の立ち上げた配管貫通部と配管の間を閉塞するシール材を設けた防水パンの配管構造において、防水蓋部材のシール材を設けた外周側部分を外嵌する配管支持具を備え、配管支持具を防水パンに固定したことを特徴とする防水パンにおける配管の固定構造である。
【０００６】
請求項１記載の本発明は、配管に加わった外力がシール材、防水蓋部材及び配管支持具を介して防水パンへ伝達して防水パンで支持されるので、外力で配管にガタつきを生じさせることはない。
【０００７】
防水パンに対して配管支持具を簡単に固定するために請求項２記載の本発明が採用した手段は、前記防水パンの開口部の周縁に前記防水蓋部材の環状フランジを、前記防水パンに連結したフランジ止付け具で圧着し、フランジ止付け具に前記配管支持具を連結して、防水パンにフランジ止付け具を介して配管支持具を固定した請求項１記載の防水パンにおける配管の固定構造である。
【０００８】
請求項２記載の本発明は、防水パンにフランジ止付け具を介して配管支持具を連結することで、防水パンに配管支持具を接近させて固定できる。
【０００９】
フランジ止付け具に対する配管支持具の連結を簡単にできるようにするために請求項３記載の本発明が採用した手段は、前記フランジ止付け具に一方の係合部を設け、前記配管支持具を構成する二つ割り分割片に他方の係合部及び配管外嵌部を設け、二つ割り分割片を合わせて接合すことで、配管を配管外嵌部で外嵌すると共に一方の係合部に他方の係合部を分離不能に係合した請求項２記載の防水パンにおける配管の固定構造である。
【００１０】
請求項３記載の本発明は、配管支持具を形成する二つ割り分割片を合わして連結すことで、配管に対する配管支持具の外嵌と、フランジ止付け具に対する配管支持具の連結とを併せて行なっている。
【００１１】
フランジ止付け具に対する配管支持具の連結を簡単にできるようにするために請求項４記載の本発明が採用した手段は、前記配管支持具は、前記フランジ止付け具の外周部に緊締外嵌する固定側バンド部と、前記防水蓋部材のシール材を設けた外周側部分を外嵌する配管側外嵌部と、固定側バンド部及び配管側外嵌部を接合する接合部とからなる請求項２記載の防水パンにおける配管の固定構造である。
【００１２】
請求項４記載の本発明は、配管支持具の接近した固定側バンド部と配管側外嵌部を接合部で接合できる。
【発明の効果】
【００１３】
請求項１記載の本発明に係る防水パンにおける配管の固定構造は、防水パンに対して配管支持具を介して配管を固定することで、防水パンの開口部を通る配管にガタつきを生じせることがない。
【００１４】
請求項２記載の本発明に係る防水パンにおける配管の固定構造は、防水パンに配管支持具を接近させて固定できるので、防水パンに対する配管支持具の固定を簡単にできる。
【００１５】
請求項３記載の本発明に係る防水パンにおける配管の固定構造は、配管に対する配管支持具の外嵌とフランジ止付け具に対する配管支持具の連結とを併せて行なうので、フランジ止付け具に対する配管支持具の連結を簡単にできる。
【００１６】
請求項４記載の本発明に係る防水パンにおける配管の固定構造は、接近する固定側バンド部と配管側外嵌部を接合部で接合してあるので、フランジ止付け具に対する配管支持具の連結を簡単にできる。
【発明を実施するための最良の形態】
【００１７】
本発明に係る防水パンにおける配管の固定構造（以下、「本発明構造」と言う。）を図面に示す実施形態に基づいて説明する。
【００１８】
（第１の実施の形態）
図１乃至図４は第１の実施の形態の本発明構造１を示すものであり、図１の図（Ａ）は左半分を断面して示す正面図、図１の図（Ｂ）は図（Ａ）の一点鎖線イで囲んで部分の別態様を拡大して示す正面図である。図２は配管３にテープ状シール材５ａを巻回した状態の左半分を断面して示す正面図、図３は防水蓋部材４及びフランジ止付け具８に配管支持具６の二つ割り分割片１０，１１を外嵌する前の状態の左半分を断面して示す正面図、図４は配管支持具６の二つ割り分割片１０，１１を分離して示す斜視図である。
【００１９】
本発明構造１は、図１の図（Ａ）に示す如く、配管３の通る防水パン２の開口部２ａをゴム製の防水蓋部材４で覆い、防水蓋部材４の立ち上げた円筒状の配管貫通部４ａと配管３の間を閉塞するシール材５を設け、防水蓋部材４のシール材５を設けた外周側部分４ｂを外嵌する配管支持具６を備え、配管支持具６を防水パン２に固定してある。
【００２０】
前記シール材５の配設は、図２に示す如く、軟質ゴム製の防水蓋部材４の開口した上端寄り部分４ｃを外側に折り返した状態で、配管３の外周面に圧縮弾性変形するテープ状シール５ａを巻回して、複数層からなる所定厚み寸法の環状のシール材５を外嵌し、その後に、図３に示す如く、外嵌したシール材５に折り戻した上端寄り部分４ｃを圧着させて行なわれる。シール材５は、ゴム製の防水蓋部材４の上端寄り部分４ｃが発揮する縮径方向の弾性力で適度に圧縮されて、配管３と防水蓋部材４との間を水密状態にシールするようにその厚み寸法が決定される。
【００２１】
前記配管支持具６は、図１に示す如く、防水蓋部材４のシール材５を設けた外周側部分４ｂとの間に若干の隙間を形成した隙間バメ状態で外嵌する場合（同図の図（Ａ）参照）と、防水蓋部材４の外周側部分４ｂに押圧した状態で当接させて、環状のシール材５を更に半径方向へ圧縮して水密性を高めるように外嵌する場合（同図の図（Ｂ）参照）とがある。配管支持具６は、防水蓋部材４の外周側部分４ｂを外嵌する部分を円筒状に形成することで、円筒状の外周側部分４ｂとの間で形成する隙間を均一に形成させるか（同図の図（Ａ）参照）、または短筒状の外周側部分４ｂの全周囲を均一に押圧して、配管３の全周囲に環状のシール材５を均一に圧着して更に水密性を高めるようにする（同図の図（Ｂ）参照）。
【００２２】
本実施の形態に係る本発明構造１は、図１の図（Ａ）に示す如く、防水パン２の開口部２ａの周縁に防水蓋部材４の環状フランジ４ｄを、防水パン１にネジ等で連結７したフランジ止付け具８で圧着し、更にフランジ止付け具８に配管支持具６を連結して、防水パン２にフランジ止付け具８を介して配管支持具６を固定してある。そして、本発明構造１は、フランジ止付け具８に一方の係合部８ａを設け、配管支持具６を構成する二つ割り分割片１０，１１に他方の係合部１０ａ，１１ａ及び配管外嵌部１０ｂ，１１ｂを設けてある。
【００２３】
配管支持具６を構成する二つ割り分割片１０（１１）は、図４及び図３に示す如く、縦長半円状の配管外嵌部１０ｂ（１１ｂ）の両側から接合片１０ｃ，１０ｄ（１１ｃ，１１ｄ）を延設すると共に、配管外嵌部１０ｂ（１１ｂ）の下端側からフランジ部１０ｅ（１１ｅ）を延設し、接合片１０ｃに設けた係止片１０ｆ及び接合片１１ｃに設けた係止孔１１ｆからなる係止手段１２（図４参照）の二組を備えると共に、接合片１０ｄ，１１ｄに設けたビス螺着用孔１０ｇ，１１ｇの二組を備え、フランジ部１０ｅ（１１ｅ）の内側に他方の係合部１０ａ，１１ａを設けてある。この他方の係合部１０ａ，１１ａと対となるフランジ止付け具８の一方の係合部８ａは、例えば、フランジ止付け具８の外周面に凹設した横向き凹状の環状溝から形成してある。
【００２４】
前記二つ割り分割片１０，１１は、図３及び図１に示す如く、防水蓋部材４及びフランシ止付け具８を外嵌するよう合わせつつ、二組の係止手段１２を係止させると共に二組のビス螺着用孔１０ｇ，１１ｇの各々にネジ１４を螺着させて接合すことで、配管外嵌部１０ｂ，１１ｂで配管３を外嵌すると共に他方の係合部１０ａ，１１ａをフランジ止付け具８の一方の係合部８ａに分離不能に係合して、フランジ止付け具８に連結してある。このように、本発明構造１は、配管支持具６を形成する二つ割り分割片１０，１１を合わせて接合すことで、配管３に対する配管支持具６の外嵌と、フランジ止付け具８に対する配管支持具６の連結とを併せて行なうことができ、フランジ止付け具８に対する配管支持具６の連結を簡単にできる。
【００２５】
本発明構造１は、ウオーターハンマーや、施工中に配管３を強く押圧する等して配管３に外力が加わったとき、加わった外力をシール材５、防水蓋部材４及び配管支持具６を介して防水パン２へ伝達して防水パン２で支持させることで、配管２にガタつきを生じさせないようにできる。
【００２６】
（第２の実施の形態）
図５乃至図７は第２の実施の形態の本発明構造２１を示すものであり、図５の図（Ａ）は右半分を断面して示す正面図、同図の図（Ｂ）は図（Ａ）の一点鎖線ロで囲んで部分の別態様を拡大して示す正面図である。図６は配管支持具２６を示す斜視図、図７は配管支持具２６の別態様を示す斜視図である。
【００２７】
本実施の形態に係る本発明構造２１は、フランジ止付け具２８及び配管支持具２６が前記第１の実施の形態と大きく異なり、その他の部分については第１の実施の形態と実質的に同一であり、図５において図１及び図２と同一符号は相当部分を示す。
【００２８】
前記フランジ止付け具２８は、図５に示す如く、第１の実施の形態と同様に、防水パン２の開口部２ａの周縁に防水蓋部材４の環状フランジ４ｄを圧着させるためのものであり、防水パン１にネジ等で連結７してある。前記配管支持具２６は、フランジ止付け具２８の外周部２８ａに緊締外嵌する固定側バンド部２２と、防水蓋部材４のシール材５を設けた外周側部分４ｂを外嵌する配管側外嵌部２３と、固定側バンド部２２及び配管側外嵌部２３を接合する接合部２４とからなり、接近する固定側バンド部２２と配管側外嵌部２３を接合部２４で接合して固定側バンド部２２、配管側外嵌部２３及び接合部２４を一体化して、フランジ止付け具２８に対する配管支持具２６の連結作業を簡単にできるようにしてある。
【００２９】
前記配管支持具２６は、図６に示す如く、固定側バンド部２２の湾曲したバンド本体２２ａの両端から連結片２２ｂ，２２ｃを延設すると共に連結片２２ｂ，２２ｃにボルト挿通孔２２ｄ，２２ｄを穿設し、また配管側外嵌部２３の湾曲した外嵌部本体２３ａの両端から連結片２３ｂ，２３ｃを延設すると共に連結片２３ｂ，２３ｃにボルト挿通孔２３ｄ，２３ｄを穿設し、更に固定側バンド部２２の連結片２２ｃと配管側外嵌部２３の連結片２３ｃとを接合部２４で一体に接合してある。なお、配管支持具２６は、別態様として図７に示す如く、固定側バンド部２２の半円状バンド本体２２ａ，２２ａの各々両端から連結片２２ｂ，２２ｃを延設すると共に連結片２２ｂ，２２ｃにボルト挿通孔２２ｄ，２２ｄを穿設し、また配管側外嵌部２３の半円状外嵌部本体２３ａ，２３ａの各々両端から連結片２３ｂ，２３ｃを延設すると共に連結片２３ｂ，２３ｃにボルト挿通孔２３ｄ，２３ｄを穿設し、更に固定側バンド部２２の一方（図示の場合は左側）の連結片２２ｃと配管側外嵌部２３の一方（図示の場合は左側）の連結片２３ｃとを接合部２４で一体に接合して構成することもある。
【００３０】
前記固定側バンド部２２は、バンド本体２２ａのボルト挿通孔２２ｄ，２２ｄ（図７の態様の場合には、左右二組のボルト挿通孔）へ通通したボルト２５にナット２７を緊締螺着することで、図５に示す如く、フランジ止付け具２８の外周部２８ａに巻き掛けたバンド本体２２ａを緊締して固定してある。配管側外嵌部２３は、外嵌部本体２３ａのボルト挿通孔２３ｄ，２３ｄ（図７の態様の場合には、左右二組のボルト挿通孔）へ通通したボルト２５にナット２７を緊締螺着することで、防水蓋部材４のシール材５を設けた外周側部分４ｂと外嵌部本体２３ａとの間に若干の隙間を形成した隙間バメ状態で外嵌する場合（同図の図（Ａ）参照）と、防水蓋部材４の外周側部分４ｂの全周囲を均一に押圧するように外嵌部本体２３ａを当接させて、配管３の全周囲に環状のシール材５を均一に圧着して更に水密性を高めるようにする場合（同図の図（Ｂ）参照）とがある。
【００３１】
本発明構造２１は、ウオーターハンマーや、施工中に配管３を強く押圧する等して配管３に外力が加わったとき、加わった外力をシール材５、防水蓋部材４及び配管支持具２６を介して防水パン２へ伝達して防水パン２で支持させることで、配管２にガタつきを生じさせないようにできる。
【００３２】
（第３の実施の形態）
図８は第３の実施の形態の本発明構造３１を示すものであり、図（Ａ）は右半分を断面して示す正面図、図（Ｂ）は図（Ａ）の一点鎖線ハで囲んで部分の別態様を拡大して示す正面図である。
【００３３】
本実施の形態に係る本発明構造３１は、フランジ止付け具２８及び配管支持具３６が前記第１の実施の形態と大きく異なり、その他の部分については第１の実施の形態と実質的に同一であり、図７において図１及び図２と同一符号は相当部分を示す。
【００３４】
前記フランジ止付け具２８は、第２の実施の形態と同様に、防水パン２の開口部２ａの周縁に防水蓋部材４の環状フランジ４ｄを圧着させるためのものであり、防水パン１にネジ等で連結７してある。前記配管支持具３６は、防水蓋部材４のシール材５を設けた外周側部分４ｂを外嵌する配管側外嵌部３３と、配管側外嵌部３３から一体に延設され、配管側外嵌部３３を防水パン２に固定する固定脚部３２とからなる。配管支持具２６は、配管側外嵌部３３の湾曲した外嵌部本体３３ａの両端から連結片３３ｂ，３３ｃを延設すると共に連結片３３ｂ，３３ｃにボルト挿通孔を穿設し、更に一方の連結片３３ｂから固定脚部３２を延設してある。固定脚部３２は、先端の折曲片部３２ａをビス等で連結３４してある。
【００３５】
前記配管側外嵌部３３は、第２の実施の形態と同様に、外嵌部本体３３ａのボルト挿通孔へ通通したボルト２５にナット２７を緊締螺着することで、防水蓋部材４のシール材５を設けた外周側部分４ｂと外嵌部本体３３ａとの間に若干の隙間を形成した隙間バメ状態で外嵌する場合（図（Ａ）参照）と、防水蓋部材４の外周側部分４ｂの全周囲を均一に押圧するように外嵌部本体３３ａを当接させて、配管３の全周囲に環状のシール材５を均一に圧着して更に水密性を高めるようにする場合（図（Ｂ）参照）とがある。
【００３６】
本発明構造３１は、ウオーターハンマーや、施工中に配管３を強く押圧する等して配管３に外力が加わったとき、加わった外力をシール材５、防水蓋部材４及び配管支持具３６を介して防水パン２へ伝達して防水パン２で支持させることで、配管２にガタつきを生じさせないようにできる。
【図面の簡単な説明】
【００３７】
【図１】本発明構造の第１の実施の形態を示すものであり、図（Ａ）は左半分を断面しして示す正面図、図（Ｂ）は図（Ａ）の一点鎖線イで囲んで部分の別態様を拡大して示す正面図である。
【図２】第１の実施の形態における配管にテープ状シールを巻回した状態の左半分を断面して示す正面図である。
【図３】第１の実施の形態における防水蓋部材及びフランジ止付け具に配管支持具の二つ割り分割片を外嵌する前の状態の左半分を断面すると共に、右側の二つ割り分割片の一部を破断して示す正面図である。
【図４】第１の実施の形態における配管支持具の二つ割り分割片を分離し、右側の二つ割り分割片の一部を破断して示す斜視図である。
【図５】本発明構造の第２の実施の形態を示すものであり、図（Ａ）は右半分を断面して示す正面図、図（Ｂ）は図（Ａ）の一点鎖線ロで囲んで部分の別態様を拡大して示す正面図である。
【図６】第２の実施の形態における配管支持具を示す斜視図である。
【図７】第２の実施の形態における配管支持具の別態様を示す斜視図である。
【図８】本発明構造の第３の実施の形態を示すものであり、図（Ａ）は右半分を断面して示す正面図、図（Ｂ）は図（Ａ）の一点鎖線ハで囲んで部分の別態様を拡大して示す正面図である。
【符号の説明】
【００３８】
２…防水パン、２ａ…開口部、３…配管、４…防水蓋部材、４ａ…配管貫通部、４ｂ…外周側部分、５…シール材、６（２６，３６）…配管支持具
【図１】
2009097192.tif 000003
【図２】
2009097192.tif 000004
【図３】
2009097192.tif 000005
【図４】
2009097192.tif 000006
【図５】
2009097192.tif 000007
【図６】
2009097192.tif 000008
【図７】
2009097192.tif 000009
【図８】
2009097192.tif 000010